(57)【要約】【課題】【解決手段】研磨面を有する剥離ヘッド形状のワークピースは、パーソナルケア器具とともに使用するために開示されている。パーソナルケア器具は、皮膚治療製剤を事前に用いるかに関係なく、被験体の表皮をなめらかにすること及び剥離の向上を提供するために、剥離ヘッドを振動するように構成される。剥離ヘッドは、患者の手足にできた魚の目やたこ等の荒れた皮膚状態を治療するために使用される。減衰装置を備えたワークピースの例もまた提供されている。減衰装置は、ワークピースの潜在的且つ望ましくない動きを減衰し、近共振で動作するパーソナルケア器具における振動モータシステムのチューニングを可能とする。【選択図】図１
2016522015.tif 000002
【特許請求の範囲】
【請求項１】
駆動系を有するパーソナルケア器具で使用するためのワークピースであって、
前記駆動系に作動的に結合されるように構成された可動ベース部と、
前記可動ベース部に取り付けられたディスクプレートと、を備え、
前記ディスクプレートは、外向きの接触面を含み、前記接触面上に研磨部が配置され、
前記研磨部は、表皮の部分的に角質化した領域に接触して置かれたときに、当該領域を剥離するように構成される、
ワークピース。
【請求項２】
前記研磨部は、複数の研磨エレメントを含む、請求項１に記載のワークピース。
【請求項３】
前記研磨エレメントの１つ又は複数は、約０．００３インチ（０．０７６２ミリメートル）〜約０．００８インチ（０．２０３ミリメートル）の高さ分、前記接触面から外向きに延びる、請求項２に記載のワークピース。
【請求項４】
前記研磨エレメントの１つ又は複数は、接触面に略平行な平面内にある略平坦な上面を含む、請求項２又は請求項３に記載のワークピース。
【請求項５】
前記研磨エレメントの１つ又は複数は、内側に細くなるようなテーパー型の側壁を含み、前記側壁は、前記上面と共に１つ又は複数の切刃を形成する、請求項４に記載のワークピース。
【請求項６】
前記接触面に隣接する研磨エレメントは、前記上面の断面積と前記ベースの断面積の割合が３０％〜６０％である、請求項５に記載のワークピース。
【請求項７】
前記割合は、４８％〜５２％である、請求項６に記載のワークピース。
【請求項８】
前記研磨エレメントの１つ又は複数は、前記接触面に隣接するベース部と、前記ベース部に隣接する上部とを含み、前記上部は、前記切刃において前記上面に隣接する側壁を備え、前記側壁と前記上面とによって形成される角度は、９０度以下である、請求項４に記載のワークピース。
【請求項９】
各研磨エレメントに対するベース部−上部間の遷移は、上面から約０．０００５インチ（０．０１２７ミリメートル）〜約０．００２インチ（０．０５０８ミリメートル）である、請求項８に記載のワークピース。
【請求項１０】
前記接触面は、研磨部が無い中央領域を更に含む、請求項１〜請求項９の何れか１つに記載のワークピース。
【請求項１１】
前記可動ベース部によって運ばれ且つ前記駆動系が振動するときに前記ワークピースの運動を減衰するように構成される減衰装置を更に備え、
前記減衰装置は、前記ディスクプレートから分離されている、請求項１〜請求項１０の何れか１つに記載のワークピース。
【請求項１２】
前記可動ベース部は、内部キャビティを備え、前記減衰装置は、前記内部キャビティ内に配置される、請求項１１に記載のワークピース。
【請求項１３】
前記可動ベース部は、内部キャビティ内に延びる中央突起を含む、請求項１２に記載のワークピース。
【請求項１４】
前記減衰装置は、前記中央突起に取り付けられている、請求項１３に記載のワークピース。
【請求項１５】
前記減衰装置は、たわみ部材を備える、請求項１１〜請求項１４の何れか１つに記載のワークピース。
【請求項１６】
前記ワークピースの運動を減衰し且つ前記駆動系をチューニングするための手段を更に含み、前記手段は、前記可動ベース部によって運ばれ、且つ前記ディスクプレートから分離されている、請求項１〜請求項１０の何れか１つに記載のワークピース。
【請求項１７】
前記手段は、１０ショアＡ〜１００ショアＡのデュロメータ値を有するたわみ部材を含む、請求項１６に記載のワークピース。
【請求項１８】
前記たわみ部材は、１０ショアＡ〜１００ショアＡのデュロメータ値を有するエラストマー材料を含む、請求項１５に記載のワークピース。
【請求項１９】
前記たわみ部材は、中央部と、前記中央部から延びる複数の羽根を含む、請求項１５、１７又は１８に記載のワークピース。
【請求項２０】
前記たわみ部材は、シートを含み、空間的に離間された複数の突起が前記シートから外側に延びるように設けられている、請求項１５、１７又は１８の何れか１つに記載のワークピース。
【請求項２１】
前記たわみ部材は、Ｘ軸及びＹ軸に関して対称である、請求項１５、１７又は１８の何れか１つに記載のワークピース。
【請求項２２】
剥離システムであって、
駆動シャフトを振動させるように構成された駆動モータを有する器具と、選択的に前記器具に取付け可能なブラシレス剥離ヘッドと、を備え、
前記ブラシレス剥離ヘッドは、可動部を含み、前記可動部は、前記駆動シャフトに作動的に結合され、且つ前記駆動モータに応答して前記駆動シャフトと共に振動するように構成され、
前記可動部は、外向きの略平坦な接触面を有し、前記接触面には、複数の研磨エレメントが設けられ、
各研磨エレメントは、表皮と接触して置かれたときに、前記表皮を剥離するように構成される、
剥離システム。
【請求項２３】
各研磨エレメントは、表皮の一部が角質化した領域と接触して置かれたときに、当該領域を剥離するように構成される、請求項２２に記載の剥離システム。
【請求項２４】
前記研磨エレメントのうち１つ又は複数は、約０．００３インチ（０．０７６２ミリメートル）〜約０．００８インチ（０．２０３ミリメートル）の高さ分、表面から外側に延びている、請求項２２又は請求項２３に記載の剥離システム。
【請求項２５】
研磨エレメントの１つ又は複数は、外向きの接触面と略平行な平面内にある略平坦な上面を有する、請求項２２〜請求項２４の何れか１つに記載の剥離システム。
【請求項２６】
前記接触面に隣接する研磨エレメントは、前記上面の断面積と前記ベースの断面積の割合が３０％〜６０％である、請求項２５に記載の剥離システム。
【請求項２７】
駆動モータ及び駆動シャフトは、約１００ヘルツ〜１９０ヘルツの周波数で且つ約１２度〜１８度の振幅で可動部を振動させるように構成される、請求項２２〜請求項２６の何れか１つに記載の剥離システム。
【請求項２８】
駆動モータ及び駆動シャフトは、約１６８ヘルツ〜１７８ヘルツの周波数で且つ約１２度〜１８度の振幅で可動部を振動させるように構成される、請求項２２〜請求項２７の何れか１つに記載の剥離システム。
【請求項２９】
被験体の表皮から皮膚を剥離するための方法であって、
剥離ヘッドを、電動駆動系を介して振動させ、被験体の表皮の部分に対して研磨エレメントを適用し、
前記研磨エレメントは、被験体の表皮の一部が角質化した領域を剥離するように構成され、
前記剥離ヘッドの外面の上には、研磨エレメントが配置される、方法。
【請求項３０】
前記被験体の表皮上で前記剥離ヘッドを移動させることで、前記研磨エレメントを、前記被験体の表皮にあてる、請求項２９に記載の方法。
【請求項３１】
前記剥離ヘッドを振動させるにあたり、１２度〜１８度の選択された角度範囲を通し且つ１００ヘルツ〜１９０ヘルツの選択された周波数範囲で前記剥離ヘッドを振動させる、請求項２９又は請求項３０に記載に方法。
【請求項３２】
前記選択された周波数範囲は、１６８ヘルツ〜１７８ヘルツである、請求項３１に記載の方法。
【請求項３３】
被験体の表皮に前記研磨エレメントをあてる際、前記被験体の表皮の一部が角質化した領域に対して、前記研磨エレメントをあてる、請求項２９〜請求項３２の何れか１つに記載の方法。
【請求項３４】
上部と底部を有する本体と、
研磨部を備える治療アプリケータと、
前記本体によって運ばれ且つ駆動モータが振動することにより前記本体の動きを減衰するように構成される減衰装置と、
を備えるワークピースであって、
前記底部は、振動する駆動モータに結合されるように構成され、
前記減衰装置は、治療アプリケータから分離されている、
ワークピース。
【請求項３５】
前記治療アプリケータは、剥離ディスクを含む、請求項３３に記載のワークピース。
【請求項３６】
前記研磨部は、表皮の一部が角質化した領域と接触して置かれたときに当該領域を剥離するように構成される、請求項３４又は請求項３５に記載のワークピース。
【請求項３７】
前記研磨部は、複数の研磨エレメントを含む、請求項３４〜請求項３６の何れか１つに記載のワークピース。
【請求項３８】
前記研磨エレメントの１つ又は複数は、０．００３インチ（０．０７６２ミリメートル）〜約０．００８インチ（０．２０３ミリメートル）の高さ分、接触面から外側に延びている、請求項３７に記載のワークピース。
【請求項３９】
前記研磨エレメントの１つ又は複数は、内側に細くなるようなテーパー型の側壁を含み、前記側壁は、前記上面と共に１つ又は複数の切刃を形成する、請求項４に記載のワークピース。
【請求項４０】
前記接触面に隣接する研磨エレメントは、前記上面の断面積と前記ベースの断面積割合が３０％〜６０％である、請求項３９に記載のワークピース。
【請求項４１】
前記本体は、前記上部−前記底部間に配置された内部キャビティを備え、前記減衰装置は、前記内部キャビティ内に配置される、請求項３４〜請求項４０の何れか１つに記載のワークピース。
【請求項４２】
前記本体は、前記内部キャビティ内に延びる中央突起を含む、請求項４１に記載のワークピース。
【請求項４３】
前記減衰装置は、前記中央突起に設けられる、請求項４２に記載のワークピース。
【請求項４４】
前記減衰装置は、たわみ部材を含む、請求項３４〜請求項４３の何れか１つに記載のワークピース。
【請求項４５】
前記たわみ部材は、１０ショアＡ〜１００ショアＡのデュロメータ値を有するエラストマー材料である、請求項４４に記載のワークピース。
【請求項４６】
前記たわみ部材は、中央部と、前記中央部から延びる複数の羽根とを含む、請求項４４又は請求項４５に記載のワークピース。
【請求項４７】
前記たわみ部材は、外向きに延びる複数の突起を有するシートを含む、請求項４４又は請求項４５に記載のワークピース。
【請求項４８】
振動モータシステムを有する電動ハンドルと、
前記電動ハンドルに取り付けられ、共振又は近共振で振動する振動モータシステムによって移動されるように構成されるワークピースと、
前記ワークピースにおける本体の上部に配置され且つ研磨部を備えた治療アプリケータと、
前記ワークピースの動きを減衰させ且つ前記振動モータシステムをチューニングするための手段であって、前記本体によって運ばれ且つ前記治療アプリケータから分離されている手段と、
を備え
前記ワークピースにおける前記本体の底部は、振動モータシステムに結合されるように構成される、
電動皮膚治療デバイス。
【請求項４９】
前記手段は、１０ショアＡ〜１００ショアＡのデュロメータ値を有するたわみ部材を含む、請求項４８に記載の電動皮膚治療デバイス。
【請求項５０】
前記たわみ部材は、複数の羽根を含む、請求項４９に記載の電動皮膚治療デバイス。
【請求項５１】
前記たわみ部材は、複数の突起が突出しているシートであってエラストマー材料のシートを含む、請求項４９に記載の電動皮膚治療デバイス。
【請求項５２】
前記たわみ部材は、Ｘ軸及びＹ軸に関して対称である、請求項４９〜請求項５１の何れか１つに記載の電動皮膚治療デバイス。
【請求項５３】
前記本体は、前記上部−前記底部間に設けられる内部キャビティと、前記内部キャビティに延びる中央突起とを備え、前記手段は、前記内部キャビティ内に配置され且つ前記中央突起に設けられる、請求項４５〜請求項５２の何れか１つに記載の、電動皮膚治療デバイス。
【発明の詳細な説明】
【技術分野】
【０００１】
当業者に知られているように、手足と様々な硬く粗い表面とが頻繁に何度も繰り返して接触することで、手のひら又は足の裏の表皮の一部が角質化して、厚い魚の目又はたこが手のひら又は足の裏に往々にして形成される。例えば、手のたこは、道具やスポーツ用品等手に圧力をかける物体を普通に取り扱っていて、しばしば発生する。足におけるたこ及び魚の目は、きつい靴、ハイヒール、ゆるい靴、底の薄い靴等の履物による圧力によって、しばしば発生する。接触による繰り返しかかる圧力によって、皮膚は角質化して、硬い保護表面を形成する。
【背景技術】
【０００２】
魚の目やたこは、不快感を起こし、また痛みとなる。更に、魚の目やたこは、例えば乾燥した寒い気候によってヒビ割れてしまう。その結果、表皮下の真皮を傷つけることになる。したがって、定期的に魚の目やたこを手のひらや足の裏から除去することが必要である。このように手足から魚の目やたこを除去することを、一般に「ペディキュア」と呼ぶ。
【０００３】
ペディキュアでは、たこや乾燥して剥がれやすい皮膚を足の裏からこすりとったり、剥ぎ取ったりすることが行われる。典型的には、足を温浴につけること、及び／又は皮膚をやわらかくする局所的な製剤を塗布することが考えられる。温水及び／又は局所的な製剤によって足の皮膚を柔らかくしてから、耐久性のあるプラスチックハンドルが取り付けられた研磨パッドを備えたペディキュアサンダー、たこやすり又は軽石のいずれかによって、足の底部を手動で研磨する。加えて、ある技能者は、カミソリの付けられたステンレススチールヘッドを備えた魚の目及びたこ用のかんなを用いて、厚くて硬いたこを足から削ぎ落とす。
【発明の概要】
【発明が解決しようとする課題】
【０００４】
たこ除去のためのこれらの従来の方法及び装置は、時間を要し、面倒で、非効率で、しばしば痛みを伴うものである。加えて、従来の器具は危険をはらんでいる。特に、たこかんなは不適切に使用すると厳しい痛みを引き起こすものである。それゆえ、このような手動の処理による危険性と有害な影響を減らすため、手足から皮膚の問題を除去する処理を自動化する試みがある。例えば、手足を手入れするために、紙やすりのような接触面を有する電動回転デバイスが、考案されており、その１つは「ペディスムース」というブランド名で売られている。
【０００５】
発明の概要では、以下、発明を実施するための形態において更に詳しく説明するが、簡易な形状を採用した概要を紹介する。なお本概要は、特許請求の範囲に記載された事項の技術的特徴を特定するものではなく、特許請求の範囲を決定するための補助として用いられるものでもない。
【課題を解決するための手段】
【０００６】
本開示の側面によれば、ワークピースが提供される。本ワークピースは、駆動系を有するパーソナルケア器具とともに、用いることができる。本ワークピースは、駆動系と作動的に結合するように構成される可動ベース部と、可動ベース部上に設けられたディスクプレートとを有する。いくつかの実施形態におけるディスクプレートは、外向きの接触面を有し、その上には研磨部が設けられる。いくつかの実施形態における研磨部は、表皮において部分的に角質化した領域に接触するように置かれた場合に、当該領域を剥離するように構成される。
【０００７】
いくつかの実施形態において、研磨部は複数の研磨エレメントを有する。いくつかの実施形態における１つ又は複数の研磨エレメントは、以下の特徴の１つ又は複数の任意の組み合わせによって特徴付けられる。
研磨エレメントの１つ又は複数は、約０．００３インチ（０．０７６２ミリメートル）〜約０．００８インチ（０．２０３ミリメートル）の高さ分、接触面から外向きに延びていること。
研磨エレメントの１つ又は複数は、接触面に略平行な平面内にある略平坦な上面を含むこと。
研磨エレメントの１つ又は複数は、接触面に略平行な平面内にある略平坦な上面と、その上に１つ又は複数の切刃を形成し且つ内側に細くなるようなテーパー型の側壁とを含むこと。
接触面に隣接する研磨エレメントは、上面の断面積とベースの断面積割合が３０％〜６０％であり、他の実施形態においては４８％〜５２％であること。
研磨エレメントの１つ又は複数は、接触面に隣接するベース部と、ベース部に隣接する上部とを含み、上部は、切刃で上面に隣接する側壁を有し、且つ９０度以下である角度をその間に形成すること。
研磨エレメントの１つ又は複数に対するベース部−上部間の遷移は、上面から約０．０００５インチ（０．０１２７ミリメートル）〜約０．００２インチ（０．０５０８ミリメートル）であること。
【０００８】
また、いくつかの実施形態における接触面は、研磨部が無い中央領域を更に有する。また、本開示のいくつかの実施形態によれば、本ワークピースは、減衰装置を有してもよい。減衰装置は、可動ベース部によって運ばれ、駆動系による振動が起こった際に本ワークピースの動きを減衰するように構成される。いくつかの実施形態において、減衰装置は、ディスクプレートから分離されている。これら実施形態のいくつかでは、可動ベース部は、内部キャビティであってその中に減衰装置が設けられる内部キャビティを有する。ある実施形態では、可動ベース部は、減衰装置が設けられる内部キャビティに向かって延びる中央突起を有する。
【０００９】
本開示におけるいくつかの実施形態によれば、本ワークピースは、本ワークピースの動きを減衰し且つ駆動系をチューニングする手段を有してもよい。かかる手段は、可動ベース部によって運ばれ、ディスクプレートからは分離されている。
【００１０】
本開示のいくつかの実施形態において、減衰装置又は減衰手段は、たわみ部材を有する。たわみ部材は、以下の特徴の１つ又は複数の任意の組み合わせを有し、またこれによって特徴付けられる。
たわみ部材は、１０ショアＡ〜１００ショアＡのデュロメータ（硬度計）値を有すること。
たわみ部材は、１０ショアＡ〜１００ショアＡのデュロメータ値を有するエラストマー材料を含むこと。
たわみ部材は、中央部と、そこから延びる複数の羽根を備えること。
たわみ部材は、互いに離間し且つ外向きに延びる複数の突起を有するシートを含むこと。
たわみ部材は、Ｘ軸及びＹ軸に関して対称であること。
【００１１】
本開示の他の側面によれば、剥離システムが提供される。剥離システムは、駆動シャフトを振動させるように構成された駆動モータと着脱可能に取り付けられたブラシレス剥離ヘッドとを備えた器具を有する。いくつかの実施形態におけるブラシレス剥離ヘッドは、駆動モータに応答して駆動シャフトとともに振動するように駆動シャフトに結合された可動部を有する。可動部は、外向きで略平面の接触面であってその上に複数の研磨エレメントを有する接触面を有する。各研磨エレメントは、表皮と接触するように置かれた場合に表皮を剥離するように構成される。いくつかの実施形態において、各研磨エレメントは、表面が一部角質化した領域と接触するように置かれた場合に、当該領域を剥離するように構成される。
【００１２】
いくつかの実施形態における１つ又は複数の研磨エレメントは、以下の特徴の１つ又は複数の任意の組み合わせによって特徴付けられる。
研磨エレメントの１つ又は複数は、約０．００３インチ（０．０７６２ミリメートル）〜約０．００８インチ（０．２０３ミリメートル）の高さ分、接触面から外向きに延びていること。
研磨エレメントの１つ又は複数は、外向きに延びている接触面に略平行な平面内にある略平坦な上面を含むこと。
研磨エレメントの１つ又はそれ以上は、略外向きの接触面と平行な平面内にある、略平坦な上面を含むこと。
接触面に隣接する研磨エレメントは、上面の断面積とベースの断面積割合が３０％〜６０％であること。
【００１３】
また、いくつかの実施形態における駆動モータ及び駆動シャフトは、約１００ヘルツ〜約１９０ヘルツの周波数で且つ約１２度〜約１８度の振幅で可動部を振動するように構成される。いくつかの実施形態において、駆動モータ及び駆動シャフトは、約１６８ヘルツ〜約１７８ヘルツの周波数で且つ約１２度〜約１８度の振幅で可動部を振動するように構成される。
【００１４】
本開示の他の側面によれば、被験体の表皮から皮膚を剥離するための方法が、提供される。かかる方法では、モータのついた駆動系を介して、剥離ヘッドであってその上に研磨エレメントがある外面を備えた剥離ヘッドを振動させる。研磨エレメントは、被験体の表皮において部分的に角質化した領域を剥離するように構成される。かかる方法では、被験体の表皮部分に対して研磨エレメントをあてる。いくつかの実施形態において、かかる方法では、被験体の表皮に対して研磨エレメントをあてて、被験体の表皮部分上で剥離ヘッドを動かす。
【００１５】
いくつかの実施形態において、剥離ヘッドを振動させることとは、１２度〜１８度の選択された角度範囲で且つ１００ヘルツ〜１９０ヘルツの選択された周波数範囲で剥離ヘッドを振動させることを含むものである。他の実施形態では、選択される周波数範囲は１６８ヘルツ〜１７８ヘルツである。
【００１６】
また、いくつかの実施形態における研磨エレメントをあてることとは、被験体の表皮が一部角質化した領域に対して研磨エレメントをあてることを含むものである。
【００１７】
本開示の他の側面によれば、ワークピースが提供される。本ワークピースは、上部と底部を有する本体と、研磨エレメントを備える治療アプリケータと、本体によって運ばれ且つ振動する駆動モータが振動することにより本体の動きを減衰するように構成される減衰装置と、を備え、底部は、振動する駆動モータに結合されるように構成される。減衰装置は、治療アプリケータから切り離すことができる。いくつかの実施形態において、研磨部は、表面が一部角質化した領域と接触するように置かれた場合に、当該領域を剥離するように構成される。
【００１８】
いくつかの実施形態において、研磨部は、複数の研磨エレメントを有する。いくつかの実施形態における１つ又は複数の研磨エレメントは、以下の特徴の１つ又は複数の任意の組み合わせによって特徴付けられる。
研磨エレメントの１つ又は複数は、約０．００３インチ（０．０７６２ミリメートル）〜約０．００８インチ（０．２０３ミリメートル）の高さ分、接触面から外向きに延びていること。
研磨エレメントの１つ又は複数は、接触面に略平行な平面内にある略平坦な上面を含むこと。
研磨エレメントの１つ又は複数は、接触面に略平行な平面内にある略平坦な上面と、その上に１つ又は複数の切刃を形成し且つ内側に細くなるようなテーパー型の側壁とを含むこと。
接触面に隣接する研磨エレメントは、上面の断面積とベースの断面積割合が３０％〜６０％であること。
【００１９】
また、いくつかの実施形態において、本体は、上部−底部間に内部キャビティを備える。減衰装置は、内部キャビティ内に設けられる。いくつかの追加の実施形態では、本体は、減衰装置が設けられる内部キャビティに向かって延びる中央突起を有する。
【００２０】
本開示のいくつかの実施形態において、減衰装置は、たわみ部材を有する。たわみ部材は、以下の特徴の１つ又は複数の任意の組み合わせを有し、またこれによって特徴付けられる。
たわみ部材は、１０ショアＡ〜１００ショアＡのデュロメータ値を有すること。
たわみ部材は、１０ショアＡ〜１００ショアＡのデュロメータ値を有するエラストマー材料を含むこと。
たわみ部材は、中央部と、そこから延びる複数の羽根を備えること。
たわみ部材は、互いに離間し且つ外向きに延びる複数の突起を有すること。
たわみ部材は、Ｘ軸及びＹ軸に関して対称であること。
【００２１】
本開示の他の側面によれば、電動皮膚治療デバイスが提供される。かかるデバイスは、振動モータシステムを備えた電動ハンドルと、電動ハンドルに設けられ且つ振動モータシステムによって共振又は近共振されるように構成されるワークピースとを有する。いくつかの実施形態において、本ワークピースは、上部及び底部を備える本体と、治療アプリケータと、減衰手段とを有し、底部は、振動モータシステムに結合されるように構成され、上部の上には、研磨部を備えた治療アプリケータが設けられ、減衰手段は、本ワークピースの動きを減衰し、振動モータシステムをチューニングする。いくつかの実施形態において、かかる手段は、本体によって運ばれ、治療アプリケータとは切り離されている。
【００２２】
本開示のいくつかの実施形態において、減衰手段は、たわみ部材を有する。たわみ部材は、以下の特徴の１つ又は複数の任意の組み合わせを有し、またこれによって特徴付けられる。
たわみ部材は、１０ショアＡ〜１００ショアＡのデュロメータ値を有すること。
たわみ部材は、１０ショアＡ〜１００ショアＡのデュロメータ値を有するエラストマー材料を含むこと。
たわみ部材は、中央部と、そこから延びる複数の羽根を備えること。
たわみ部材は、エラストマー材料のシートであってそこから複数の突起が突出するシートを含むこと。
たわみ部材は、Ｘ軸及びＹ軸に関して対称であること。
【００２３】
また、いくつかの実施形態において、かかる本体は、上部−底部間に設けられる内部キャビティと、内部キャビティに向かって延びる中央突起とを備える。いくつかの実施形態において、かかる手段は、内部キャビティ内に配置され且つ中央突起に設けられる。
【図面の簡単な説明】
【００２４】
添付の図面とともに以下の発明を実施するための形態を参照することで、前述の側面と開示された事項にもたらされる利益の多くを容易に考えることができる。
【００２５】
【図１】本開示の側面に係る剥離ヘッドワークピースの一例の斜視図。
【図２】図１の剥離ヘッドの分解図。
【図３】例えば図１の剥離ヘッド等の、剥離ヘッドの上面図。
【図４】駆動モータシステムの構成要素に結合できるように設計された、図１の剥離ヘッドの断面図。
【図５】本開示の側面に係り、表面であってその上に研磨エレメントを備えた表面の一例の部分的な側面図。
【図６】本開示の側面に係り、表面であってその上に研磨エレメントを備えた表面の他の一例の部分的な側面図。
【図７】本開示の側面に係り、表面であってその上に研磨エレメントを備えた表面の他の一例の部分的な側面図。
【図８】パーソナルケア器具であって図１の剥離ヘッドがその上に設けられるパーソナルケア器具の一例の斜視図。
【図９】図８のパーソナルケア器具及びそこから分解された剥離ヘッドの側面図。
【図１０】図８のパーソナルケア器具におけるいくつかの構成要素の機能ブロック図。
【図１１】本開示の側面に係り、減衰装置を備えた剥離ヘッドワークピースの一例の分解図。
【図１２】図１１の本ワークピースから剥離ディスクを除いた斜視図。
【図１３】図１１の本ワークピースでの使用のための減衰装置の一例の斜視図。
【図１４】図１１の本ワークピースでの使用のための減衰装置の一例の斜視図。
【図１５】図１１の本ワークピースでの使用のための減衰装置の一例の斜視図。
【発明を実施するための形態】
【００２６】
発明を実施するための形態を添付の図面とともに明らかにしていくが、これらにおいて、部材等の多くの参照事項は、あくまでも開示された事項の様々な実施形態の説明として意図されるものであって、その実施形態だけに限定される意図はない。本開示で説明される各実施形態は、単なる例又は説明として提供されるものであり、好ましい又は他の実施形態よりも優れたものとして解釈されるべきものではない。ここで提供される説明的な例は、網羅的であることを意図しておらず、特許請求の範囲を開示事項に限定する意図もない。
【００２７】
以下の説明は、皮膚を治療するための、システム、装置、方法の少なくとも何れか１つの例を提供するものである。ここで説明される例では、パーソナルケア器具との使用に適するワークピースが提供される。ここで説明されるいくつかの例においては、パーソナルケア器具は、被験体の皮膚等の領域を治療するために本ワークピースを振動させる。これらの及び他の実施形態において、本ワークピースは、事前に塗布する皮膚治療製剤を必要とせず且つなめらかにすること及び被験体の表皮剥離の向上を提供する治療アプリケータを有する。
【００２８】
以降、更に詳細に説明されるように、本ワークピースの振動運動は、回転でも並進でもその組み合わせでもよい。いくつかの実施形態において、本ワークピースの動きを減衰させる技術が提供される。これら及び他の例において、本ワークピースを駆動させる駆動モータアセンブリのチューニングをする技術が提供される。
【００２９】
使用において、パーソナルケア器具は、古い皮膚を被験体の表皮から除去するために、被験体の皮膚において剥離ヘッド等の本ワークピースを振動させる。いくつかの実施形態において、剥離ヘッドは、患者の手足にできる魚の目又はたこ等の荒れた皮膚の状態を治療するために用いられる。例えば、剥離ヘッドによって使用者は、荒れた皮膚の状態を削って表皮の表面をなめらかで磨かれたものにすることができるようになる。
【００３０】
本開示の１つ又は複数の実施形態を十分に理解するために、以下、多くの具体的な詳細を明らかにしていく。しかしながら、本開示の多くの実施形態は具体的な詳細の一部又はその全てがなくとも実施することができるということは、当業者には明らかであろう。いくつかの例においては、本開示の様々な側面を不必要に不明瞭にしないために、公然知られた処理ステップについては詳しく説明しないこととする。更に本開示の実施形態は、ここで説明された特徴の何れの組み合わせであってもよいと考えられる。
【００３１】
図１を改めて参照すると、本発明の側面によって形成された剥離ヘッドワークピース（全体を符号２０で示す。）の一例が示されている。ヘッド２０は、図８及び図９に示す器具２２等のパーソナルケア器具とともに使用するのに適している。後に詳述するが、ヘッド２０は、表皮から古い皮膚細胞を取り除くために被験体の皮膚上で振動することができる研磨部６０を備えた表面５８を有する。こちらも後に詳述するが、いくつかの実施形態は、ヘッド２０を振動させるために音波の動きを利用するものであり、これによって、皮膚の切削やたこの除去の制御向上や高精度化が提供される。更に後に詳述するが、必要に応じて、かかる音波の動きを減衰及び／又はチューニングすることができる。
【００３２】
ヘッド２０をより詳細に説明する前に、ヘッド２０に振動運動を付与するために用いられるパーソナルケア器具２２の一例を、より詳細に説明する。パーソナルケア器具２２は、本開示の実施形態とともに実施されるある種の器具であり、当然ながら、ヘッド２０は、様々な振動（oscillatory or vibratory）運動発生デバイスによっての使用に適している。
【００３３】
図８及び図９を改めて参照すると、パーソナルケア器具２２の一例が示されている。器具２２は、取手部２６とヘッドアタッチメント部２８とを備えた本体２４を有する。ヘッドアタッチメント部２８は、剥離ヘッド２０等のヘッドを器具２２に、着脱可能に取り付けできるように構成される。器具本体２４は、器具の動作機構を収容する。図１０のブロック図に示すように、一実施形態の動作機構は、駆動モータアセンブリ３０、充電可能な電池等の蓄電源３２、及び駆動力を蓄電源３２から駆動モータアセンブリ３０に必要に応じて供給するように構成され且つ調整されたオン／オフボタン３６（図８参照）を有する駆動制御器３４を有する。いくつかの実施形態において、駆動制御器３４はまた、駆動モータアセンブリ３０に電力を供給するように構成されたマイクロコントローラ又はプロセッサ等の制御回路に結合された電力調整又はモード制御ボタン３８（図８参照）を有してもよい。いくつかの実施形態において、駆動モータアセンブリ３０は、剥離ヘッド２０等の取り付けられたヘッドを駆動シャフト又はアーマチュア４２を介して駆動させる電気駆動モータ４０を有する。
【００３４】
剥離ヘッド２０等のワークピースがヘッドアタッチメント部２８に設けられると、駆動モータアセンブリ３０は、ヘッド２０に動きを付与するように構成される。駆動モータアセンブリ３０は、剥離ヘッド２０を音の周波数で、典型的には９０ヘルツ〜３００ヘルツの範囲で動作するように構成されてもよく、剥離ヘッド２０を他に対して前後に８度〜２６度の角度範囲で振動させてもよい。以下に詳述するが、いくつかの実施形態において、剥離ヘッド２０は、約１００ヘルツ〜１９０ヘルツの周波数で且つ１２度〜１８度の振幅又は範囲で、動作する。他の実施形態において、剥離ヘッド２０は、約１６８ヘルツ〜約１７８ヘルツの周波数で且つ約１２度〜約１８度の振幅で且つ約３６％〜約４８％のデューティ・サイクルで動作する。
【００３５】
器具２２において剥離ヘッド２０を振動させるために使用される駆動モータアセンブリ３０の一例は、米国特許第７，７８６，６２６号において示され且つ説明されている。しかしこれは、そのような器具の構成と動作の一例にすぎないものであり、機器の構造、動作周波数、振動振幅は、変更してもよいと解する。本開示のいくつかの実施形態では、近共振に取り付けられたヘッドを駆動するように、周波数範囲が選択される。したがって、選択された周波数範囲は、取り付けられたヘッドの慣性特性に部分的に依存する。近共振に取り付けられたヘッドを駆動することにより、負荷状態（例えば、皮膚に接触したとき）で、適切な振幅で取り付けられたヘッドを駆動させる機能等の多くの利点が得られる、と解する。器具の一例の設計パラメータに関するより詳細な説明としては、米国特許第７，７８６，６２６号を参照されたし。
【００３６】
図２及び図４を改めて参照すると、剥離ヘッド２０の一例がより詳細に説明されている。図２及び図４に最もよく示すように、ヘッド２０は、略円筒状の可動中央部４４を有する。可動中央部４４は、内側端部である第１の端部５２において、駆動モータアセンブリ３０の駆動シャフト又はアーマチュア４２と直接的に又は間接的に（例えば、駆動突起５０を介して）接続されるように構成されるベース部４８を有する。例えばアルミニウム等、チタン等の軽量金属等の他の材料を利用してもよいが、ベース部４８は、ナイロン、ポリウレタン、ポリプロピレン、ポリエチレン等のプラスチックから構成されるものとして、図４に示されている。
【００３７】
可動中央部４４は、内側端部の反対側にある外側端部である第２の端部５６でベース部４８に固定して取り付けられたディスクプレート５４を更に有する。実施形態に示すように、ディスクプレート５４は、１つ又は複数の研磨部６０を備えたヘッド２０の外向きの表面５８を形成する。ディスクプレート５４は、ナイロン、ポリウレタン、ポリプロピレン、ポリエチレン等のプラスチック等の他の材料を利用してもよいが、ここではステンレス鋼、銀、亜鉛、真鍮、銅、アルミニウム、金等、あるいはそれらの合金及びそれらの組み合わせ等の金属から構成されるものとして、図３に示されている。いくつかの実施形態では、ディスクプレート５４は、アルミニウム又はステンレス鋼のようなより経済的又は軽い金属から構成された内部コアと、亜鉛、銅、金又は銀等の生体適合性金属から構成された外層とを有してもよい。
【００３８】
図２及び図４に示す実施形態では、ベース部４８は、肩部又はステップ部６６とともに延長外側リム６４によって特徴付けられるキャビティ６２を有する。キャビティ６２の中央には、ステップ部６６の支持体表面７２と略同一平面にあるトップ支持体表面７０を備えた中央突起６８が設けられる。一実施形態において，ディスクプレート５４をベース部４８に固定してとりつけるために、ディスクプレート５４は、突起７０及びショルダー６６に載置され且つ支持される。そして、リム６６は、ディスクプレート５４がショルダー６６−ダイ型フランジ７４間に嵌まるように、ダイ型を形成している。いくつかの実施形態において、ダイ型フランジ７４は、研磨部６０の部分に嵌合するように延びている。他の固定方法を用いても良い、と解する。例えば、ディスクプレート５４がベース部４８に接着されてもよい。
【００３９】
別体のベース部４８とディスクプレート５４として可動中央部４４の例を示し且つ説明したが、本開示では、中央部４４の他の構成についても考えられている。例えば、いくつかの実施形態において、中心部４４は金属又はプラスチックの単一部材で、鋳造、成形、共成形、又は他の従来技術によって形成してもよい。
【００４０】
いくつかの実施形態において、ベース部４８は、１つ又は複数の更なる特徴を有してもよい。例えば、剥離ヘッド２０は、特に共振システムにおいて使用するために設計してもよい。これに関して、動作中にヘッド２０の慣性特性を維持しようとすることが重要であってもよい。それゆえ、内部キャビティ７２に届く任意の液体及び／又は固形物を除去するために、１つ又は複数の排水孔又はスロット７６が、内部キャビティ７２の周囲に設けられてもよい。ヘッド２０は、音波運動発電機で使用するために設計する場合、かかるシステム（例えば、駆動モータアセンブリ３０及びヘッド２０）は、過剰又は有害な剥離圧力が印加された場合に停止するように設計してもよい、と解する。更に、図１１の実施形態に関して以下より詳細に説明するように、そのような振動運動は、意図する用途に応じて、減衰及び／又はチューニングしてもよい。
【００４１】
図２〜４を参照すると、いくつかの実施形態では、ヘッド２０は、任意の外側保持部７８を有する。外側保持部７８は、中央に位置し、円筒状の開口部８０を有する。開口部８０は、可動中央部４４の側面を囲むように大きさが決められ且つ構成される。器具２２に取り付けた場合、中央開口部８０の上部周囲に延びるリム８２は、可動中央部４４の表面５８と同一平面又はそのわずかに下もしくは内側に（つまり、ヘッドアタッチメント部２８の方へ）位置する。
【００４２】
いくつかの実施形態において、中央部４４と外側保持部７８は、パーソナルケア器具２２のヘッドアタッチメント部２８にヘッド２０を着脱可能に取り付けられるように構成されるアタッチメントシステムを有する。アタッチメントシステムによってパーソナルケア器具２２に取り付けた場合、以下の手順をふむ。（１）可動中央部４４が、駆動モータアセンブリ３０に例えば、駆動突起５０等を介してそこに振動運動が供給されるように接続される。（２）外側保持部７８は、器具２２にヘッド２０を固定する。それゆえ、いくつかの実施形態におけるアタッチメントシステムは、パーソナルケア器具２２に対するヘッド２０の付け外しの迅速且つ容易な技術を提供する。アタッチメントシステムによって、他のパーソナルケアヘッドがハンドルに取り付けられ、必要に応じて、交換用の剥離ヘッドが器具２２に取り付けられる。
【００４３】
本開示の実施形態とともに実施することができるアタッチメントシステムは、米国特許第７，３８６，９０６号に記載されている。ヘッド２０を器具２２等のパーソナルケア器具に着脱可能に取り付けるための技術であって道具を使う又は使わない技術を下記の方法（１）（２）を用いて提供する他のアタッチメントシステムを使用することもできる、と解する。（１）中央部４４に振動運動を提供する方法、（２）中央部４４−駆動モータアセンブリ３０間の接続を維持する方法。例えば、いくつかの実施形態では、中央部４４は、駆動モータアセンブリ３０に連動し且つ振動する駆動シャフト又はアーマチュア（アーマチュア４２等）と接続されるように構成される結合インタフェースを含み、これは、中央部４４を結合インタフェースに固定しつつ振動運動を中央部４４に伝達するような方法である。なお、保持部７８は、ヘッド２０に係るいくつかの実施形態に対して所定の利益を提供することができるが、保持部７８は任意であり、必要に応じて省略してもよい、と解する。
【００４４】
図３、５〜７を改めて参照し、表面５８であってその上に研磨部６０を備えた表面５８の側面を、より詳細に説明する。図５に示すように、外向きの表面５８の研磨部６０は、複数の離間した研磨エレメント８４であって、被験体の表皮の古い角質を剥離するように十分に構成された研磨エレメント８４を有する。かかる場合、研磨エレメント８４は、剥離突起部８４と呼んでもよい。後に詳述するが、研磨エレメント８４は、その意図された用途に部分的に依存して、多くの構成が考えられる。
【００４５】
いくつかの実施形態において、手、肘、又は足等の体の領域で略古い角質の除去を提供するように構成される。他の実施形態において、皮膚とのより積極的な関与として、体の粗い領域を削り取るために及び／又はなめらかにするために、魚の目やたこが生じる手足等の体の領域で略古い角質の除去を提供するように構成される。本開示の実施形態では、研磨エレメント８４は、剛毛を有さない。このように、これらの実施形態の剥離ヘッドはブラシレス剥離ヘッドと呼ぶことができる。
【００４６】
各研磨エレメント８４は、表面５８に亘って同一類似の構成を有することができる。あるいは、研磨エレメント８４の構成は、表面５８全体を通して又は研磨部６０において変えてもよい。以下に詳述するが、いくつかの実施形態において、研磨エレメント８４は、約０．００３インチ（０．０７６２ミリメートル）〜約０．００８インチ（０．２０３ミリメートル）の範囲内の高さをもって、ディスクプレート５４の表面５８から外側に突出している。いくつかの実施形態において、ディスクプレートは、表面５８の１つ又は複数の部分で１平方インチ当たり２２００までの研磨エレメントを有する。
【００４７】
いくつかの実施形態において、当然ながら、他の実施形態では１つ又は複数のパターンで配置しつつも、研磨エレメント８４をランダムに配置することができる。これらの実施形態では、かかる１つ又は複数のパターンは、表面５８の大部分を通じて一定にしてもよいし、表面５８もしくはその一部の少数又は大半を通じて変えてもよい。実施形態に示すように、他の構成を採用することができるが、表面にはその中央に位置する部分であって研磨エレメント８４がない部分８６を有する。いくつかの実施形態において、部分８６は、被験体等の曲面上で動かされるときに中央部４４が早期に失速しないように滑らかな表面を有する。これらの実施形態では、部分８６の滑らかな表面は、約１０％又はそれ以上を占める。
【００４８】
本開示のいくつかの側面によれば、研磨エレメント８４は、付加処理で、外向きの表面５８に埋め込まれてもよいし、接着されてもよいし、取り付けられてもよいし、形成されてもよいし、配置されてもよいし、又は他の方法で設けられてもよい。いくつかの実施形態では、研磨エレメント８４は、ダイヤモンドチップやダイヤモンドダスト、炭化ケイ素、酸化アルミニウム、シリカや炭酸カルシウム等の砂、アルミナ、ジルコニウム、軽石、及びその組み合わせといった小さな研磨粒子で構成されているが、これらに限定するものではない。いくつかの実施形態において、研磨粒子の平均直径は、約４５マイクロメートル〜約２５０マイクロメートルの範囲、又はそれ以上である。
【００４９】
研磨エレメント８４を形成するために使用される付加処理のより単純な一例として、６０〜３００の荒い砂粒（グリット）を有するサンドペーパー等を、ディスクプレート５４の表面５８に接着してもよい。いくつかの実施形態において用いてもよい他の付加処理は、メッキ又はコーティングである。例えば、ディスクプレート５４が金属製である場合に、ニッケル、銀、金、チタン、ジルコニウム、クロム、及び／又はそれらの酸化物、二酸化物等の金属層であって、研磨粒子のスラリーを有する金属層が、電気又は無電解メッキ法、真空蒸着法（とりわけ、化学気相蒸着法等の物理気相蒸着、スパッタリング蒸着、陰極アーク蒸着、プラズマ蒸着等）を用いて、ディスクプレート５４にメッキされてもよい。
【００５０】
ディスクがプラスチックで作られている実施形態では、研磨エレメント８４は、最初に、例えば、銀又は金の薄いベース層を作成する真空蒸着技術を用いることで固定してもよい。その中に配置された研磨粒子のスラリーを有する金属層であって、ニッケル、銀、金、チタン、ジルコニウム、クロム、及び／又はそれらの酸化物、二酸化物等の金属層は、電気又は無電解メッキ法を用いてベース層にメッキされてもよい。電解又は無電解メッキに加えて、接着又はプラズマ蒸着を使用してのようなプラスチックディスク板に研磨粒子を固定するために、他の技術を使用してもよい。他の実施形態は、ディスクプレート５４は、ディスクプレート５４に配置される研磨粒子を有するプラスチック樹脂とともに成形してもよい。
【００５１】
本開示の他の態様によれば、研磨エレメント８４は、削除処理を介して外向きの表面５８上に形成又は設けてもよい。いくつかの実施形態において、パルスレーザー堆積処理を使用してもよい。他の実施形態では、研磨エレメント８４は、化学的に、ディスクプレート５４の表面５８にエッチングされる。この点で、いくつかの実施形態では、ディスクプレート５４は、ディスクプレート５４の表面に剥離突起部を形成するための所定のパターン及びエッチング手順によって、フォトエッチングされる。
【００５２】
図５は、本開示の態様によるエッチング処理により形成された研磨エレメント８４の一例の形状についての部分的な拡大図である。図５の側面図に最もよく示すように、研磨エレメント８４は、略円錐台状の形状であり、切刃９４を備えた略平坦な上面９０を有する。いくつかの実施形態において、上面９０の直径Ｄ１は、研磨エレメント８４のベースの直径Ｄ２の約３０％〜６０％であり、他の実施形態においては、約４８％〜５２％である。種々の実施形態では、上面９０の直径Ｄ１は、０．００４インチ（０．０１０２ミリメートル）〜０．００８インチ（０．２０３ミリメートル）の範囲にある。研磨エレメントは、略円錐台形であるとして示し且つ説明したが、角錐台（例えば、切頭ピラミッド形、等）のような内側に細くなるようなテーパー型であってもよい。
【００５３】
研磨エレメント８４の他の特徴として、いくつかの実施形態では、約０．００４インチ（０．０１０２ミリメートル）〜０．００８インチ（０．２０３ミリメートル）の高さＨを有し、他の実施形態では約０．００６インチ（０．１５２ミリメートル）や０．００８インチ（０．２０３ミリメートル）の高さＨを有する。いくつかの実施形態では、ディスクプレート５４は、やや過度気味にエッチングしてもよく、これにより、図６の例に最もよく示すように、そのほぼ凹状の側壁９２又はその一部を形成する。図７に最もよく示されるように、他の実施形態では、上面９０のより顕著な上面又は切刃９４を形成してもよい。本実施形態において、研磨エレメント８４の側壁は、略円錐台形のベース部９６と、略円筒状の上部９８を有する。いくつかの実施形態では、側壁は、ベース部９６から（「Ｔ」と称する）上部９８に、上面９０から約０．０００５インチ（０．０１２７ミリメートル）〜０．００２インチ（０．０５０８ミリメートル）の位置に遷移する。いくつかの実施形態では、上部９８−上面９０の側壁間に作成された角度αは、好ましくは９０度以下である。
【００５４】
研磨エレメントの１つ又は複数の実施形態の上記の形状は、エッチング工程によって形成してもよい。しかし当然ながら、これらの特性の１つ又は複数を有する研磨エレメントは、本明細書中に記載の付加／削除の処理の両方を含む他の製造方法で達成してもよい。更に、二酸化チタン、ジルコニウム、二酸化クロム、二酸化、金、銀、銅、亜鉛等の薄膜（例えば、０．０００１インチ（０．００２５４ミリメートル））は従来のコーティング技術を介して研磨エレメント８０上に塗布してもよい。
【００５５】
図１１は、本開示の側面により形成された剥離ヘッド１２０等のワークピースの別の実施形態を示している。剥離ヘッド１２０は、これから説明する相違点を除き、上述の剥離ヘッド２０と、構造、材料、及び動作において略同様である。
【００５６】
上述の通り、いくつかの実施形態では、ヘッド２０に振動運動を付与するように振動する駆動モータアセンブリを使用する。かかる場合、駆動モータアセンブリは、例えば、駆動モータアセンブリ３０として、一般的に９０ヘルツ〜３００ヘルツの範囲である音波の周波数において剥離ヘッド２０を、前後に、例えば８度〜２６度の角度範囲内で剥離ヘッド２０を振動運動させるように構成されてもよい。
【００５７】
このシステムでは、剥離ヘッド２０は、「高いＱ値」の治療アプリケータ又はワークピースに分類することができる。結果として、共振又は近共振の上記周波数で動作するとき、望ましくないワークピースの動作が存在していてもよい。駆動モータアセンブリ３０によって駆動される場合、特に、非同心（ぐらつき）の平面運動及び／又は非平面の動きを曲げるようなヘッド２０の寄生運動（ヘッド２０の主な振動平面、いくつかの実施形態においては例えばディスクプレートと同一平面、にない動き等）が、存在していてもよい。以下に詳述するが、ヘッド２０の潜在的且つ望ましくない動きを減衰し、そのような駆動モータアセンブリ３０の近共振で動作するパーソナルケア器具の振動モータシステムのチューニングを可能にするための技術が提供される。
【００５８】
かかる点で、本開示の側面による図１１の剥離ヘッド１２０は、共振又は近共振動作時のヘッド１２０の動きを減衰するための手段を提供する減衰装置１８０を有する。減衰装置１８０を設けることにより、駆動モータアセンブリ３０を、所望の動作周波数帯域に同調させることができる。
【００５９】
図１１〜１３に示す実施形態では、減衰装置１８０は、リング１８４の半径外方向に延びる複数の羽根１８６を備えたたわみ部材１８２を有する。リング１８４は、組み立てると、中央部４４の中央突起６８が入り込むように構成された中央ボア１８８を形成する。図１２に示すように、結果として、減衰装置１８０は、突起６８に設けられることとなる。任意の帯ひも（不図示）が、１つ又は複数の羽根１８６の間に配置され、リング１８４から半径外方向に延び、又はリング１８４の半径外方向の位置と羽根１８６の先端との間で伸びてもよい。いくつかの実施形態では、たわみ部材１８２は、Ｘ軸とＹ軸の両方に関して対称である。
【００６０】
いくつかの実施形態では、たわみ部材１８２は、エラストマー材料から作られる。エラストマー材料は、約１０ショアＡ〜約１００ショアＡの範囲の適切な硬度を有してもよい。たわみ部材１８２は、ＴＰＥ射出成形、シリコン低圧射出成形、キャスティング、シート状のエラストマー材料からの打ち抜き等（ただしこれらに限定されるものではない）等の種々の方法によって構築してもよい。いくつかの実施形態では、羽根１８６は、ばね鋼、ピアノ線部材等の曲げ特性を有する金属で構成してもよい。図１４は、減衰装置１８０'の他の実施形態を示している。デバイス１８０及び１８０'の減衰の厚さ、長さ、羽根の幅、並びにデュロメータ値は、振動する駆動モータアセンブリ３０をチューニングするために、変えてもよい、と解する。
【００６１】
図１５は、本開示の側面により形成された減衰装置２８０の他の実施形態である。減衰装置２８０は、その動きを減衰し且つ振動する駆動モータアセンブリ３０をチューニングすることを提供するために、ヘッド１２０とともに使用することに適している。図１５に示すように、減衰装置２８０は、エラストマー材料のたわみシート２８２であってそこから複数のリッジ２８４と突起２８６とが外向きに延びているたわみシート２８２を有する。図示した実施形態では、リッジ２８４は、離間され、シート２８２の中央ボア２８８から半径外方向に延びている。ヘッド１２０の運動を減衰させ且つ振動する駆動モータアセンブリ３０をチューニングするために、リッジ２８４と突起２８６の寸法（例えば、高さ、太さ、長さ、直径等）及び位置は、エラストマー材料のデュロメータ値と同様に変えることができる、と解する。
【００６２】
剥離ヘッド２０、１２０の上記の例は、対象の表皮の皮膚を剥離するために使用され、いくつかの実施形態では、魚の目又はたこ等の部分的に角質化した細胞により引き起こされる皮膚荒れを低減又は除去することができる。かかる場合、まず、剥離ヘッド２０又は１２０のいずれかが、パーソナルケア器具２２に取り付けられる。次に、パーソナルケア器具２２を起動し、関連する剥離ヘッドは、９０ヘルツ〜３００ヘルツの範囲の周波数で、８度〜２６度の範囲内で前後剥離ヘッドを振動するように動作する。いくつかの実施形態では、関連する剥離ヘッドは、約１００ヘルツ〜１９０ヘルツの周波数範囲で約１２度〜１８度の振幅範囲で動作する。他の実施形態では、関連する剥離ヘッドを、約１６８ヘルツ〜１７８ヘルツの周波数で、約１２度〜１８度の振幅範囲で、且つ約３６％〜４８％のデューティ・サイクルで動作する。
【００６３】
振動すると、剥離ヘッド２０、１２０の研磨面を足や手のような体の皮膚の粗い部分にあてる。上記振幅及び周波数での研磨面の振動作用は、剥離効果を提供し、これにより皮膚の粗い部分を削り、魚の目、たこ等を除去又は低減させる。いくつかの実施形態では、ユーザが皮膚に対して過度に力を加えた場合に、システムが停止するように構成されている。所望の量が削られると、剥離ヘッド２０、１２０の研磨面を皮膚から離し、器具２２の電源を落としてもよい。加えて、器具２２は、プログラム操作を介して、自動的に電源を切るようにしてもよい。
【００６４】
このように、剥離ヘッド２０、１２０を特定の周波数と振幅の範囲で且つ上記概説した代表的なプロセスに沿って使用することで、皮膚の切削及び魚の目／たこの除去についての制御の向上と高精度化とを実現することができる。剥離ヘッド２０、１２０で皮膚を剥離する際に、更なる利点もまた実現することができる。例えば、ヘッド２０、１２０を各方向に変化させることで皮膚を除去することができるので、ブラシヘッドに接触して振動運動が付与される結果、従来の回転電動デバイス又は手動デバイスに比して、より多くの皮膚をより小さな力で除去することができる。
【００６５】
上記の方法は、皮膚治療製剤又は温水で皮膚の浸漬の使用により、皮膚を柔らかくしようとすることなく行うことができる。しかしながら、剥離前の皮膚領域に対する任意の準備は、上記の開示された方法の一部として使用してもよい。
【００６６】
本開示を目的として、「上」、「下」、「垂直」、「水平」、「前方」、「後方」、「内側」、「外側」、「内向き」、「外向き」、「前側」、「後ろ側」等の用語は、あくまでも記述なものであり、特許請求の範囲を限定するものではないと解釈されるべきことに、留意したい。更に、「含む」、「備える」、「有する」及びその変形の使用は、その後に列挙される項目及びその均等物ならびに追加の項目を包含することを意味する。特に限定されない限り、本明細書で用いられる「接続され」、「結合され」、「取り付けられ」及びそのバリエーションといった用語は、広く使用され、直接的及び間接的な接続、結合及び取付けを包含するものである。
【００６７】
原理、代表的な実施形態、及び本発明の動作態様は、前述の説明に記載されている。しかし、保護を意図する本開示の側面は、開示された特定の実施形態に限定されると解釈されるべきではない。更に、本明細書に記載の実施形態は、限定ではなく例示としてみなされるべきである。当然のことながら、他のもの及びその等価物を使用して、本開示の精神から逸脱することなく、変形及び変更が可能である。したがって、記載された全てのそのような変形、変更、及び均等物は、本開示の精神及び範囲内に入ることが明確に意図される。
【符号の説明】
【００６８】
２０        剥離ヘッド
２２        パーソナルケア器具
２４        本体
２６        取手部
２８        ヘッドアタッチメント部
【図１】
2016522015.tif 000003
【図２】
2016522015.tif 000004
【図３】
2016522015.tif 000005
【図４】
2016522015.tif 000006
【図５】
2016522015.tif 000007
【図６】
2016522015.tif 000008
【図７】
2016522015.tif 000009
【図８】
2016522015.tif 000010
【図９】
2016522015.tif 000011
【図１０】
2016522015.tif 000012
【図１１】
2016522015.tif 000013
【図１２】
2016522015.tif 000014
【図１３】
2016522015.tif 000015
【図１４】
2016522015.tif 000016
【図１５】
2016522015.tif 000017
【国際調査報告】
2016522015.tif 000018
2016522015.tif 000019
2016522015.tif 000020
2016522015.tif 000021
2016522015.tif 000022